(57)【特許請求の範囲】
【請求項１】
自動車用光源バルブに設定されている規格に基づいた装着部に取付けられる口金の鍔内で、ガラス管球を固定したスライダを前後にスライドさせる構造の車両用灯具の光源バルブであって、
前記口金の鍔の内部に、ハーネスの芯線が接続された第１端子を固定すると共に、スライダの側面に前後方向に沿って第２端子を固定し、且つ第１端子の一部を第２端子に接触させて、第１端子と第２端子との導通状態が常に維持されるようにしたことを特徴とする車両用灯具の光源バルブ。
【請求項２】
請求項１記載の車両用灯具の光源バルブであって、
前記口金の鍔が筒形で、該口金の鍔の後部に口金の鍔と連続した空間を有するケースを一体又は別体で形成し、ケース内にスライダと連結されて該スライダを前後にスライドさせる駆動部を収納したことを特徴とする車両用灯具の光源バルブ。
【請求項３】
請求項１又は請求項２記載の車両用灯具の光源バルブであって、
前記ガラス管球が、口金の鍔に固定された概略筒形の固定シェード内に位置しており、該固定シェードの上部には、ガラス管球からの上方への光の発散を許容する切欠部が形成されていることを特徴とする車両用灯具の光源バルブ。
【請求項４】
請求項３記載の車両用灯具の光源バルブであって、
前記スライダの上部に、ガラス管球の上方まで前方に延長された可動シェードを形成し、ガラス管球から斜め後方へ発散する光を所定の配光特性で遮光することを特徴とする車両用灯具の光源バルブ。
【請求項５】
請求項２〜４のいずれか１項に記載の車両用灯具の光源バルブであって、
防水キャップが密着して防水性が確保される前側部分以外の口金の鍔及びケースを、防水構造したことを特徴とする車両用灯具の光源バルブ。
【請求項６】
請求項２〜５のいずれか１項に記載の車両用灯具の光源バルブであって、
駆動部が、双方向ソレノイドであることを特徴とする車両用灯具の光源バルブ。
【請求項７】
請求項２〜５のいずれか１項に記載の車両用灯具の光源バルブであって、
駆動部が、ケースの内部でエアー又はオイルにより駆動するピストンであることを特徴とする車両用灯具の光源バルブ。
【請求項８】
請求項１〜７のいずれか１項に記載の車両用灯具の光源バルブであって、
ガラス管球が、ＨＩＤタイプで、装着部の規格がＨ４対応であることを特徴とする車両用灯具の光源バルブ。
【発明の詳細な説明】
【０００１】
【発明の属する技術分野】
この発明は、ガラス管球だけを前後にスライドさせてハイビームとロービームとを切り換えるようにした車両用灯具の光源バルブに関するものである。
【０００２】
【従来の技術】
ＨＩＤ（High  Itensity  Discharge）は、発光源が１つのため、１つの発光源でハイビームとロービームとを切り換えるには、特開２０００−４０４１４号公報で知られているように、光源バルブを光軸方向でスライドさせる必要がある。具体的には、ランプハウジングの装着部に、バルブを保持するプレートを設け、そのプレートをスプリングでロービーム位置へ向けて付勢すると共に、そのプレートをランプハウジングの外部に設けたソレノイドにより、ハイビーム位置へ向けて後退させるようにしている。すなわち、ソレノイドをＯＮにすれば、光源バルブ全体が後退してハイビームになり、ソレノイドをＯＦＦにすれば、光源バルブ全体がスプリング力によりバルブが前進してロービームに切り換わるようになっている。
【０００３】
【発明が解決しようとする課題】
しかしながら、このような従来技術にあっては、光源バルブ全体をランプハウジングの外部に設けたソレノイドにより動かすため、光源バルブとランプハウジングとの間の摺動抵抗が大きくなり、動かしている間に光源バルブにおける発光部（フィラメントや放電部）の位置が変化し、所定の配光パターンが得られなくなるおそれがある。
【０００４】
そこで、光源バルブ全体を前後にスライドさせるのではなく、光源バルブのうちで、ガラス管球だけを前後にスライドさせる構造にすることが考えられる。しかし、外部から光源バルブに導かれたハーネスを、そのまま光源バルブ内においてガラス管球に接続したのでは、ガラス管球を前後にスライドさせるたびにハーネスが折れ曲がり、ハーネスの劣化を招くことなる。また、ハーネスを折り曲げながらガラス管球を前後にスライドさせるには、その分、大きな駆動力が必要になり、ガラス管球を駆動させるための動力源（モータ、ソレノイド等）や、その動力伝達機構も大きくなり、車両用灯具全体の大型化を招くことなる。そのため、ハーネスの劣化を防止し、スライド抵抗とならないガラス管球への給電構造の提案が待たれている。
【０００５】
この発明は、このような従来の技術に着目してなされたものであり、ガラス管球だけをスライドさせる構造にしても、ハーネスの劣化を防止でき且つスライド抵抗とならないで、ガラス管球への給電を可能にする車両用灯具の光源バルブを提供するものである。
【０００６】
【課題を解決するための手段】
請求項１記載の発明は、ランプハウジングに設定されている規格に基づいた装着部に取付けられる口金の鍔内で、ガラス管球を固定したスライダを前後にスライドさせる構造の車両用灯具の光源バルブであって、前記口金の鍔の内部にハーネスの芯線が接続された第１端子を固定すると共に、スライダの側面に前後方向に沿って第２端子を固定し、且つ第１端子の一部を第２端子に接触させて、第１端子と第２端子の導通状態が常に維持されるようにした。
【０００７】
請求項１記載の発明によれば、口金の鍔側に固定した第１端子と、スライダ側に固定した第２端子とにより摺動接点を形成できるため、ハーネスを折り曲げることなく、ガラス管球に給電することができる。そのため、ハーネスが劣化することはないし、ガラス管球をスライドさせる際の抵抗が増すこともない。従って、ガラス管球を駆動させるため、動力源等を小型化して、光源バルブ内に収納し易くなる。
【０００８】
請求項２記載の発明は、口金の鍔が筒形で、該口金の鍔の後部に口金の鍔と連続した空間を有するケースを一体又は別体で形成し、ケース内にスライダと連結されて該スライダを前後にスライドさせる駆動部を収納した。
【０００９】
請求項２記載の発明によれば、ガラス管球を固定したスライダを、駆動部に連結して直接駆動するため、ガラス管球のスライド方向での位置精度が高い。
【００１０】
請求項３記載の発明は、ガラス管球が口金の鍔に固定された概略筒形の固定シェード内に位置しており、該固定シェードの上部にはガラス管球からの上方への光の発散を許容する切欠部が形成されている。
【００１１】
請求項３記載の発明によれば、口金の鍔に固定シェードが固定されているため、リフレクタの下部で反射して上向きのグレア光となる下向きの光を遮断することができる。
【００１２】
請求項４記載の発明は、スライダの上部にガラス管球の上方まで前方に延長された可動シェードを形成し、ガラス管球から斜め後方へ発散する光を所定の配光特性で遮光する。
【００１３】
請求項４記載の発明によれば、スライダの上部にガラス管球と一緒に可動する可動シェードを形成したため、ガラス管球を前後にスライドさせても、ガラス管球から斜め後方へ発散する光を常に同じ配光特性で遮光することができる。従って、ガラス管球からリフレクタの上部で反射されてハイビーム及びロービームとなる光を、理想的な配光パターンで確実に照射することができる。
【００１４】
請求項５記載の発明は、防水キャップが密着して防水性が確保される前側部分以外の口金の鍔及びケースを防水構造した。
【００１５】
請求項５記載の発明によれば、防水キャップによる防水エリアから外れる口金の鍔の後部及びケースを防水構造にしたため、ケース内に電気系統を含む駆動部を収納しても問題ない。防水構造としては、口金の鍔とケースとの境界部の防水チューブによる被覆、同境界部へのシール材やＯリングの介在、口金の鍔とケースの一体化などが考えられる。
【００１６】
請求項６記載の発明は、駆動部が双方向ソレノイドである。
【００１７】
請求項６記載の発明によれば、駆動部が双方向ソレノイドで、電流の印加時間が短いため、ケース内に収納しても熱的な問題は生じない。
【００１８】
請求項７記載の発明は、駆動部がケースの内部でエアー又はオイルにより駆動するピストンである。
【００１９】
請求項７記載の発明によれば、駆動部がケース内で駆動するピストンであるため、電気的にフリーで、湿気や衝撃に強い。スライド量も大きく確保することができ、ソレノイドよりも大きなスライド力が得られる。
【００２０】
請求項８記載の発明は、ガラス管球がＨＩＤタイプで、装着部の規格がＨ４対応である。
【００２１】
請求項８記載の発明によれば、市場的評価の高いＨ４対応の光源バルブで、ハイビームとロービームの切り換えができるため、Ｈ４対応で２灯式の灯具が実現できる。Ｈ４バルブに限定されることなく、ＨＸバルブも同等の効果を有する。
【００２２】
【発明の実施の形態】
以下、この発明の好適な実施例を図面に基づいて説明する。
【００２３】
図１〜図７は、この発明の第１実施形態を示す図である。この実施形態は、自動車のヘッドランプに関するものである。このヘッドランプは、前面にレンズを備え且つ後部にリフレクタＲを有した図示せぬランプハウジングに、光源バルブ１を設けた構造になっている。この光源バルブ１はＨ４規格に対応しており、ランプハウジングに設けられている図示せぬＨ４規格の装着部に、そのまま取付けられるようになっている。
【００２４】
この光源バルブ１は、Ｈ４規格の装着部に取付け可能な外径寸法を有する口金の鍔２を備えている。口金の鍔２には、後側から２本のハーネス３が差し込まれ、先端には、芯線４が露出している。芯線４の内側には、斜めに延びる部分を有する第１端子Ａが取付けられ、芯線４の上側の口金の鍔２には、開口５（図１、図４）が形成され、開口５から注入した半田により、芯線４と第１端子Ａとが導通状態となる。固化した半田の上には、シリコンが充填される。そして、この口金の鍔２の内面下部には、光軸に沿った前後方向に延びる２本の突条６（図６）が形成されている。
【００２５】
口金の鍔２の内部には、スライダ７が前後スライド自在に挿入されている。スライダ７の側面には、前後方向に沿って２本の溝８が形成され、その下側の端面に、前記口金の鍔２の内面に形成した突条６が係合している。この溝部８と突条６との係合により、スライダ７の口金の鍔２での回転が防止されると共に、スライダ７の上下逆の取付けが防止される。
【００２６】
溝８と突条６との隙間は、エアベントである。即ち、このエアベントにより、口金の鍔２とけーす１４とスライダ７は、位置精度を高める為に、密閉度が高く、スライダ７がスライドする際の口金の鍔２内部の空気の高圧化を防止するために空気が自由に出入り出来る。
【００２７】
スライダ７の前部には、ＨＩＤのガラス管球９がセメント（接着剤）により固定されている。ガラス管球９の中心には、電源線１０が通過しており、その途中に１つの発光部１１が設けられている。電源線１０がガラス管球９の先端でアース線１２に接続され、アース線１２は、基端部側に戻っている。
【００２８】
スライダ７の側面の対向位置には、それぞれ前後方向に沿って第２端子Ｂが取付けられている。一方の第２端子Ｂには、電源線１０の端末が半田付けされ、他方の第２端子Ｂには、アース線１２の端末が半田付けされている。この第２端子Ｂは、両方とも前後方向に沿ってフラットな表面を有し、その表面に第１端子Ａの内側へ延びた部分を接触させている。
【００２９】
口金の鍔２の後端周囲には、対向位置に突起１３が形成され、そこにケース１４の前端に形成された孔部１５が係合し、ケース１４を口金の鍔２に対して取付けている。このケース１４は、後端が塞がれた容器形状をしており、口金の鍔２と連続した空間を形成する。尚、前記口金の鍔２に取付けられたハーネス３は、ケース１４の一部も貫通している（図４参照）。
【００３０】
口金の鍔２の側面には、防水キャップ１６が密着しており、その前側を防水エリアとし、水がガラス管球９側に侵入しないようにされている。この防水キャップ１６の後側は、防水キャップ１６による防水エリアではないが、口金の鍔２とケース１４の境界部を、外側から防水チューブ１７で被覆することにより、両者間の防水が保たれている。従って、口金の鍔２及びケース１４内に水が侵入することはない。ケース１４の後面には、ソレノイド用コード孔１８が形成されているが、シリコン接着剤又はゴムブッシュなどの防水手段により防水されているため、ここから水が侵入することはない。
【００３１】
ケース１４の内部には、「駆動部」としてのソレノイド２０がネジ２１により固定されている。ソレノイド２０は、双方タイプで、電流を流すたびに、ピン２２が突出した状態と、引っ込んだ状態を交互に切り換えることができ、ピン２２が止まった後には、内部の磁石によりその状態が保持され、電気を流す必要がない。従って、小電力で且つ電気を流す時間が短いため、ソレノイド２０がケース１４内で加熱したりすることはない。また、前述のように、防水チューブ１７により防水性が保たれているため、内部のソレノイド２０が水による悪影響を受けることもない。
【００３２】
ソレノイド２０のピン２２の先端は、Ｅリング２３により、スライダ７の後端と連結されている。この連結は、ピン２２の角度変化を許容する「遊び」をもったもので、ソレノイド２０の取付具合により、ピン２２が必ずしも光軸と合致していなくても、ソレノイド２０の駆動力をスライダ７へ確実に伝達できるようになっている。従って、ソレノイド２０の駆動させることにより、スライダ７に固定されたガラス管球９を前後にスライドさせることができる。
【００３３】
口金の鍔２の前部には、上部に大きめの切欠部２４を有する概略筒形の固定シェード２５が固定されており、この固定シェード２５内にガラス管球９が位置している。この固定シェード２５は、リフレクタＲの下部で反射して上向きのグレア光となる下向きの光を遮断するためのもので、切欠部２４の両側のカットラインは、図７に示すように、中心位置から１５°だけ下がった位置に設定されている。
【００３４】
また、スライダ７の上部には、ガラス管球９の上方まで前方に延長された可動シェード２６が形成されている。この可動シェード２６は、ガラス管球９から斜め後方へ発散する光を所定の配光特性で遮光するためのものである。この可動シェード２６は、ガラス管球９と一緒にスライドするため、ガラス管球９から斜め後方へ発散する光を常に同じ配光特性で遮光することができる。
【００３５】
従って、ソレノイド２０のピン２２を突出させて、スライダ７及びガラス管球９を前方へスライドさせれば（図４）、リフレクタＲの上部にて反射された光がロービームになり、ピン２２を引っ込めて、スライダ７及びガラス管球９を後方へスライドさせれば（図５）、ハイビームになる。このように、１つの発光部１１を有するＨＩＤのガラス管球９でありながら、それを前後させることによりロービームとハイビームとが切り換えられるため、２灯式のヘッドランプを構成することができる。また、前述のように、スライダ７に形成した可動シェード２６により、ガラス管球９を前後させても、ガラス管球９から斜め後方へ発散する光を常に同じ配光特性で遮光しているため、ガラス管球９からリフレクタの上部で反射されてハイビーム及びロービームとなる光を、理想的な配光パターンで確実に照射することができる。
【００３６】
以上のように、この実施形態に係る光源バルブ１によれば、口金の鍔２側に固定した第１端子Ａと、スライダ７側に固定した第２端子Ｂにより摺動接点を形成したため、ハーネス３を折り曲げることなく、ガラス管球９に給電することができる。そのため、ハーネス３が劣化することはないし、ガラス管球９をスライドさせる際の抵抗が増すこともない。従って、ガラス管球９を駆動させるためソレノイド２０を小型化でき、光源バルブ１内に収納し易くなる。
【００３７】
また、光源バルブ１の内部において、スライダ７に固定されたガラス管球９だけを前後にスライドさせるため、ガラス管球９をスライドさせる際に大きな摺動抵抗が発生せず、ガラス管球９のリフレクタＲに対する位置精度が高い。また、ガラス管球９を固定したスライダ７を、ソレノイド２０に連結して直接駆動することも、ガラス管球９のスライド方向での位置精度向上に寄与している。
【００３８】
更に、ガラス管球９を動かすためのソレノイド２０も光源バルブ１内に収納できる程度の小型のもので済み、ヘッドランプ自体の大型化を招くことはない。口金の鍔２が装着部のＨ４規格に対応するものなので、装着部を規格外の構造に変更する必要がなく、既製品のＨ４規格のバルブに代えて、本実施形態の光源バルブ１をそのまま取付けることができ、汎用性が高い。
【００３９】
また、防水キャップ１６による防水エリアから外れる口金の鍔２の後部及びケース１４を、防水チューブ１７で覆うことにより防水構造にしたため、ケース１４内に電気系統を含むソレノイド２０を収納しても問題ない。防水構造としては、防水チューブ１７に代えて、口金の鍔２とケース１４の境界部にシール材やＯリングを介在させても良く、また、口金の鍔２とケース１４とを一体化して、境界部を無くすようにしても良い。
【００４０】
図８は、この発明の第２実施形態を示す図である。この実施形態では、ケース１４の前後にホース２７を連結し、そのケース１４内にＯリング２８により周縁がシールされた「駆動部」としてのピストン２９を収納している。ケース１４には、ピストン２９のピン３０をＯリング３１を介して貫通する前壁部３２が形成されている。そして、ホース２７から、ピストン２９の両側の空間に、エアー又はオイルを交互に注入することにより、ピストン２９を前後にスライドさせ、該ピストン２９のピン３０に連結されたスライダ７を前後にスライドさせるようになっている。
【００４１】
この実施形態によれば、エアー又はオイルの圧力により、ピストン２９を前後にスライドさせる構造のため、電気的にフリーで、湿気や衝撃に強い。また、ソレノイドよりも、より大きなスライド量の確保と、より大きなスライド力が得られる。
【００４２】
尚、駆動部としては、ソレノイドやピストンに限定されず、ケース内に収納可能で、スライダを確実に前後方向へスライドさせることができるものであれば、モータその他のものを採用しても良い。
【００４３】
【発明の効果】
この発明によれば、口金の鍔側に固定した第１端子と、スライダ側に固定した第２端子により摺動接点を形成できるため、ハーネスを折り曲げることなく、ガラス管球に給電することができる。そのため、ハーネスが劣化することはないし、ガラス管球をスライドさせる際の抵抗が増すこともない。従って、ガラス管球を駆動させるため動力源等を小型化して、光源バルブ内に収納し易くなる。
【図面の簡単な説明】
【図１】この発明の第１実施形態に係る光源バルブを示す側面図。
【図２】図１の光源バルブを示す平面図。
【図３】図１の光源バルブの縦断面図。
【図４】図１のガラス管球を前方へスライドさせた状態の光源バルブの横断面図。
【図５】図１のガラス管球を後方へスライドさせた状態の光源バルブの横断面図。
【図６】口金の鍔とスライダの重合部分を示す断面図。
【図７】切欠部のカットラインの位置を示す固定シェードの断面図。
【図８】第２実施形態に係る光源バルブの駆動部を示す断面図。
【符号の説明】
１  光源バルブ
２  口金の鍔
３  ハーネス
４  芯線
７  スライダ
９  ガラス管球
１１  発光部
１４  ケース
１６  防水キャップ
１７  防水チューブ
２０  ソレノイド（駆動部）
２５  固定シェード
２６  可動シェード
２９  ピストン（駆動部）
Ａ  第１端子
Ｂ  第２端子
Ｒ  リフレクタ
【図１】
0004010100.tif 000002
【図２】
0004010100.tif 000003
【図３】
0004010100.tif 000004
【図４】
0004010100.tif 000005
【図５】
0004010100.tif 000006
【図６】
0004010100.tif 000007
【図７】
0004010100.tif 000008
【図８】
0004010100.tif 000009